(57)【要約】【課題】情報端末などにおいて、狭い画面内をスムーズに項目選択操作ができ、かつ、段階的な項目選択のユーザインタフェースによって発生する空きスペースを広告表示に活用できるユーザインタフェースの提供。【解決手段】情報端末に表示されるユーザインタフェースは、複数個の選択項目が連なった複数のスロットの各スロットがそれぞれ独立してスクロール可能とされて表示し、前記表示手段によって表示されたスロットを構成する項目を選択することで、次のスロットが表示され、該表示されたスロットの中の項目を選択可能にされた項目表示手段と、前記項目表示手段によって、最初のスロットが表示されるとき、空いているスペースに広告を表示し、二番目以降のスロットが表示されるまでの間、空いているスペースに広告を表示する広告表示手段と、を備え、前記広告表示手段によって、二番目以降に表示される広告は、項目表示手段によって表示された項目の選択に応じた広告をレコメンドし掲載する。【選択図】図１
2014157528.tif 000002
【特許請求の範囲】
【請求項１】
タッチパネルを備えた情報機器のタッチパネルに表示されるユーザインタフェースであって、
前記情報端末に表示されるユーザインタフェースは、複数個の選択項目が連なった複数のスロットの各スロットがそれぞれ独立してスクロール可能とされて表示し、前記表示手段によって表示されたスロットを構成する項目を選択することで、次のスロットが表示され、該表示されたスロットの中の項目を選択可能にされた項目表示手段と、
前記項目表示手段によって、最初のスロットが表示されるとき、空いているスペースに広告を表示し、二番目以降のスロットが表示されるまでの間、空いているスペースに広告を表示する広告表示手段と、
を備え、
前記広告表示手段によって、二番目以降に表示される広告は、項目表示手段によって表示された項目の選択に応じた広告をレコメンドし掲載することを特徴とするタッチパネルを備えた情報機器のユーザインタフェース。
【請求項２】
前記広告表示手段は、情報端末のタッチパネルの空き領域に前記広告の大きさを自動調整して表示することを特徴とする請求項１記載のタッチパネルを備えた情報機器のユーザインタフェース。
【請求項３】
前記項目表示手段によって表示された項目を外部サーバーに出力し、前記外部サーバーは、前記出力に基づいて、選択数、選択傾向を取得し、レコメンド用のログを保存し、広告掲載料金を算出に利用することが可能な出力を行うときに利用できることを特徴とする請求項１記載のタッチパネルを備えた情報機器のユーザインタフェース。
【請求項４】
前記項目表示手段によって表示された項目が選択された場合、該項目のＩＤをユーザー情報と供にサーバーへ送信する送信手段と、
該送信手段によって得られた情報を、ユーザー情報と紐付けて、項目が選択されたことをログとしてデータベースに保存するサーバーが、受け取った項目のＩＤからデータベースを参照し、次のスロットに表示する項目群のデータを受け取る情報受信手段と、
同時に選択した項目に関連した広告があれば広告データを受信する広告データ受信手段と、を備えた情報機器に適用されることを特徴とする請求項１記載のタッチパネルを備えた情報機器のユーザインタフェース。
【請求項５】
タッチパネルを備えた情報機器のタッチパネルに表示されるユーザインタフェースの操作方法であって、
複数個の選択項目が連なった複数のスロットをそれぞれ独立してスクロール表示する工程と、
前記複数個の項目を選択するためスロットをスクロールする工程と、
前スクロール表示されたスロットを構成する項目を選択して、次のスロットを表示し、該表示されたスロットの中の項目を選択する工程と、
前記項目表示されて最初のスロットが表示されるとき、空いているスペースに広告を表示され、二番目以降のスロットが表示されるまでの間、空いているスペースに広告を表示されるもので、二番目以降のスロットに表示された項目の選択に応じて、二番目以降に表示される広告が、該項目の選択に応じた広告をレコメンドし掲載されることを特徴とするタッチパネルを備えた情報機器の操作方法。
【請求項６】
タッチパネルを備えた情報機器に表示される各サービス、機能などの項目を、関連するサブサービス、サブ機能などの項目を階層構造で表示するユーザインタフェースであって、
外部のデータベースが保持する各サービス、機能などの項目の階層情報を、都度アクセスして取得する情報取得手段と、
前記外部データベースが保持する前記ユーザインタフェースの操作により選択した項目を選択履歴データとして、選択日付とともに何を選択したかを保存する外部データベースと、
前記データベースに保存された選択履歴データを、前記データベースから取得する情報取得手段と、
該情報取得手段によって得られた情報を、履歴として前記ツリー表示手段によって表示するツリー表示手段と、
前記ツリー表示手段によって表示された部分を選択することで、データベースに格納された履歴から過去にアクセスした各サービス、各機能に再びアクセスすることが可能とすることを特徴とするタッチパネルを備えた情報機器のユーザインタフェース。
【発明の詳細な説明】
【技術分野】
【０００１】
本発明は、タッチパネルを備えた情報機器のユーザインタフェース及び操作方法に係り、特に、携広告表示機能及び管理機能を有するタッチパネルを備えた情報機器のユーザインタフェース及び操作方法に関する。
【背景技術】
【０００２】
従来から情報機器の多機能化に応じて、多機能に応じて便利に管理及び利用できるユーザインタフェースが各種提案されている（特許文献１）。
特許文献１で知られている技術は、例えば、タッチパネルに対するユーザインタフェースについて、特定の機能に係るＵＩ構成要素（ＵＩｅｌｅｍｅｎｔ）を一つ以上含むツールバーが表示される第２領域と、前記ＵＩ構成要素がドラッグされて位置し、前記ＵＩ構成要素に該当する機能が活性化される第１領域と、を備えるタッチスクリーン、及び前記ＵＩ構成要素が第１領域にドラッグされると当該ＵＩ構成要素に対応する機能を活性化させる制御部を含む技術である。
また特許文献２では記憶部に階層化されて記憶される例が開示されている。
【先行技術文献】
【特許文献】
【０００３】
【特許文献１】特開２００９−２１７８１５号公報（図１ａ参照）
【特許文献２】特開２００６−３３８８３１号公報（図８参照）
【発明の概要】
【発明が解決しようとする課題】
【０００４】
特許文献１で示される従来のユーザインタフェースは、構成要素が第１領域にドラッグされると当該ＵＩ構成要素に対応する機能を活性化させる技術であり、予め第２領域に表示されたＵＩ構成要素を第１領域に移動して活性化する必要があるため、予め表示できるＵＩ構成要素に限りがあり、表示領域に限りの存在するタッチスクリーン画面においては、表示個数に限度があった。
【０００５】
また第２領域に表示されたＵＩ構成要素が階層構造を有する場合には、さらなる下層階層に位置する項目の表示が活性化させない限り表示できないという不都合があった。
さらに、ＵＩ構成要素を第１領域に移動するために、第１領域には、他の情報（例えば選択したＵＩ構成要素に関連する広告を含めた他の情報）を表示することができないという不都合があった。
【０００６】
さらに、特許文献１、２で示す技術では、過去に表示した履歴管理ができないか、過去の履歴に対する閲覧については、何らの開示もない。
【０００７】
本発明の目的は、スマートフォン、タブレット、その他の情報機器、特に小型液晶等の画面が小さい情報端末などにおいて、狭い画面内をスムーズに項目選択操作ができ、かつ、段階的な項目選択のユーザインタフェースによって発生する空きスペースを広告表示に活用できるタッチパネルを備えた情報機器のユーザインタフェース及び操作方法の提供を目的とする。
より具体的には、項目の表示個数に限度がなく、各項目に階層構造が存在する場合には、さらなる下層階層に位置する項目の表示が可能であると共に、選択項目に関連する広告を含めた他の情報を表示することが可能なタッチパネルを備えた情報機器のユーザインタフェース及び操作方法の提供を目的とする。
【０００８】
本発明の他の目的は、任意の場所までさかのぼれ、かつ、操作により「1つ前に戻る」「1つ前に戻る」などの操作性や閲覧を容易にでき、履歴を管理できることのできるタッチパネルを備えた情報機器のユーザインタフェース及び操作方法の提供を目的とする。
【課題を解決するための手段】
【０００９】
前記課題は、本発明のタッチパネルを備えた情報機器のユーザインタフェースによれば、タッチパネルを備えた情報機器のタッチパネルに表示されるユーザインタフェースであって、前記情報端末に表示されるユーザインタフェースは、複数個の選択項目が連なった複数のスロットの各スロットがそれぞれ独立してスクロール可能とされて表示し、前記表示手段によって表示されたスロットを構成する項目を選択することで、次のスロットが表示され、該表示されたスロットの中の項目を選択可能にされた項目表示手段と、前記項目表示手段によって、最初のスロットが表示されるとき、空いているスペースに広告を表示し、二番目以降のスロットが表示されるまでの間、空いているスペースに広告を表示する広告表示手段と、を備え、前記広告表示手段によって、二番目以降に表示される広告は、項目表示手段によって表示された項目の選択に応じた広告をレコメンドし掲載すること、により解決される。
【００１０】
このとき、前記広告表示手段は、情報端末のタッチパネルの空き領域に前記広告の大きさを自動調整して表示すると好適である。
【００１１】
また、前記項目表示手段によって表示された項目を外部サーバーに出力し、前記外部サーバーは、前記出力に基づいて、選択数、選択傾向を取得し、レコメンド用のログを保存し、広告掲載料金を算出に利用することが可能な出力を行うときに利用できるように構成すると好適である。
【００１２】
さらに、前記項目表示手段によって表示された項目が選択された場合、該項目のＩＤをユーザー情報と供にサーバーへ送信する送信手段と、該送信手段によって得られた情報を、ユーザー情報と紐付けて、項目が選択されたことをログとしてデータベースに保存するサーバーが、受け取った項目のＩＤからデータベースを参照し、次のスロットに表示する項目群のデータを受け取る情報受信手段と、同時に選択した項目に関連した広告があれば広告データを受信する広告データ受信手段と、を備えた情報機器に適用されると好適である。
【００１３】
前記課題は、本発明のタッチパネルを備えた情報機器の操作方法によれば、タッチパネルを備えた情報機器のタッチパネルに表示されるユーザインタフェースの操作方法であって、複数個の選択項目が連なった複数のスロットをそれぞれ独立してスクロール表示する工程と、前記複数個の項目を選択するためスロットをスクロールする工程と、前スクロール表示されたスロットを構成する項目を選択して、次のスロットを表示し、該表示されたスロットの中の項目を選択する工程と、前記項目表示されて最初のスロットが表示されるとき、空いているスペースに広告を表示され、二番目以降のスロットが表示されるまでの間、空いているスペースに広告を表示されるもので、二番目以降のスロットに表示された項目の選択に応じて、二番目以降に表示される広告が、該項目の選択に応じた広告をレコメンドし掲載されること、により解決される。
【００１４】
前記課題は、本発明のタッチパネルを備えた情報機器のユーザインタフェースによれば、タッチパネルを備えた情報機器に表示される各サービス、機能などの項目を、関連するサブサービス、サブ機能などの項目を階層構造で表示するユーザインタフェースであって、外部のデータベースが保持する各サービス、機能などの項目の階層情報を、都度アクセスして取得する情報取得手段と、前記外部データベースが保持する前記ユーザインタフェースの操作により選択した項目を選択履歴データとして、選択日付とともに何を選択したかを保存する外部データベースと、前記データベースに保存された選択履歴データを、前記データベースから取得する情報取得手段と、該情報取得手段によって得られた情報を、履歴として前記ツリー表示手段によって表示するツリー表示手段と、前記ツリー表示手段によって表示された部分を選択することで、データベースに格納された履歴から過去にアクセスした各サービス、各機能に再びアクセスすることが可能とすること、により解決される。
【発明の効果】
【００１５】
以上のように、本発明によれば、スマートフォン、タブレット、その他の情報機器、特に小型液晶等の画面が小さい情報端末などにおいて、狭い画面内をスムーズに項目選択操作ができ、かつ、段階的な項目選択のユーザインタフェースによって発生する空きスペースを広告表示に活用できるタッチパネルを備えた情報機器のユーザインタフェース及び操作方法を提供できる。
より具体的には、項目の表示個数に限度がなく、各項目に階層構造が存在する場合には、さらなる下層階層に位置する項目の表示が可能であると共に、選択項目に関連する広告を含めた他の情報を表示することが可能なタッチパネルを備えた情報機器のユーザインタフェース及び操作方法を提供できる。
【００１６】
また本発明によれば、任意の場所までさかのぼれ、かつ、操作により「1つ前に戻る」「1つ前に戻る」などの操作性や閲覧を容易にでき、履歴を管理できることのできるタッチパネルを備えた情報機器のユーザインタフェースを提供することができる。
【図面の簡単な説明】
【００１７】
【図１】情報端末のスロット式項目選択ユーザインタフェースである待ち受け画面の例を示す説明図である。
【図２】スロット式項目選択ユーザインタフェースの画面遷移の説明図である。
【図３】スロット式項目選択ユーザインタフェースの画面遷移の説明図である。
【図４】情報端末とサーバーとの関係を示す説明図である。
【図５】図１の内容の例としての説明図である。
【図６】第１項目（カテゴリ）を選定して第２項目（第２カテゴリ）を表示したときの説明図である。
【図７】第２項目（第２カテゴリ）を選択したときの広告表示を示す説明図である。
【図８】第３項目（第３カテゴリ）を表示したときの選択を促す説明図である。
【図９】第３項目（第３カテゴリ）を選択したときの広告表示を示す説明図である。
【図１０】第４項目（第４カテゴリ）を表示した説明図である。
【図１１】第４項目（第４カテゴリ）を選択したときの広告表示を示す説明図である。
【図１２】情報端末のサービス及び機能に関するツリー状況の説明図である。
【図１３】カテゴリに関するツリー状況の説明図である。
【図１４】図１３を説明する説明図である。
【図１５】カテゴリと他の機能との関係を説明する説明図である。
【図１６】情報端末の本ユーザインタフェースの画面を示す説明図である。
【図１７】カスタマイズしたＭＹページのＭＹカテゴリをタップした画面の説明図である。
【図１８】選択中カテゴリの詳細を表示する画面を示す説明図である。
【図１９】ツリー表示とサブツリー表示を示す説明図である。
【図２０】カテゴリマップを表示した画面を示す説明図である。
【発明を実施するための形態】
【００１８】
以下、本発明に係る実施形態について図に基づいて説明する。
図１乃至図２０は本発明の一実施形態を説明するもので、図１は情報端末のスロット式項目選択ユーザインタフェースである待ち受け画面の例を示す説明図、図２はスロット式項目選択ユーザインタフェースの画面遷移の説明図、図３はスロット式項目選択ユーザインタフェースの画面遷移の説明図、図４は情報端末とサーバーとの関係を示す説明図、図５は図１の内容の例としての説明図、図６は第１項目（カテゴリ）を選定して第２項目（第２カテゴリ）を表示したときの説明図、図７は第２項目（第２カテゴリ）を選択したときの広告表示を示す説明図、図８は第３項目（第３カテゴリ）を表示したときの選択を促す説明図、図９は第３項目（第３カテゴリ）を選択したときの広告表示を示す説明図、図１０は第４項目（第４カテゴリ）を表示した説明図、図１１は第４項目（第４カテゴリ）を選択したときの広告表示を示す説明図である。
また、図１２は情報端末のサービス及び機能に関するツリー状況の説明図、図１３はカテゴリに関するツリー状況の説明図、図１４は図１３を説明する説明図、図１５はカテゴリと他の機能との関係を説明する説明図、図１６は情報端末の本ユーザインタフェースの画面を示す説明図、図１７はカスタマイズしたＭＹページのＭＹカテゴリをタップした画面の説明図、図１８は選択中カテゴリの詳細を表示する画面を示す説明図、図１９はツリー表示とサブツリー表示を示す説明図、図２０はカテゴリマップを表示した画面を示す説明図である。
【００１９】
本実施形態のスロット式項目選択ユーザインタフェースは、図１で示すように、ユーザーが項目を選択する際に、選択した内容に応じた広告を表示することができるものである。また、ユーザーの選択操作を妨げないように広告の表示エリアの大きさが自動的に調整される。本実施形態では、１つに対して１つの広告枠となっており、バナー式ではない。
スロット式項目選択ユーザインタフェースにおいて、ユーザーが、項目選択回数（アクセス数）などの条件を元に、広告の表示エリアへの広告掲載料金が自動的に算出されるように構成される。
【００２０】
本実施形態では、スロット式項目選択ユーザインタフェースにおいて、操作性に非常に優れているものである。例えば、スロットメニューをスクロールし、目的の項目(スロット)にスムーズにアクセスできる。本実施形態では、カテゴリを例にしているが、スロットメニューを階層構造で遷移することが可能となっている。また上述のように、あきスペースにスロットに関連した広告を出せるだけでなく、スマートフォン等の画面の狭い端末で優位性のある操作性が確保できる。
さらに、第1カテゴリの見出しの箇所をタップすると、「あいうえお順」「アクセスが多い順」など、ソート順が変えられるもので、操作をより簡単に構成することが可能である。
【００２１】
また、このスロット式項目選択ユーザインタフェースは、カテゴリなどの階層構造を持つデータや、つながり（関連性）を持つデータを順々に選択することが可能なように構成されている。
例えば、第１項目である大カテゴリ（スロット１）から項目「車」を選択した場合、第２項目である中カテゴリ（スロット２）に「車種」「パーツ」「メンテナンス用品」・・・と、選択項目に関連した項目郡を取得し、次のスロットに表示するというような構成となっている。
【００２２】
例えば、図１では、スマートフォン（小型液晶端末）の画面を示すもので、スロットをスクロールして、項目を選ぶことができる。第１項目（スロット１）には、複数の項目が上下方向にスロットのように移動することが可能になっており、第１項目の横のエリアは広告表示エリアとなっており、第１項目（スロット１）のいずれかを選択するまで、このエリアには広告が掲載されるように構成されている。つまり、広告表示エリア（スロット１の項目を選択する間、この空きスペースに広告を掲載することができる。
【００２３】
第１項目である大カテゴリ（スロット１）の所定の項目を選択（図２で示す例では項目２を選択）すると、大カテゴリ（スロット１）の項目２に関連した広告が表示される。次に広告を閉じると、大カテゴリ（スロット１）の項目２に関連したスロット２の項目群が表示される。次に広告を閉じると、スロット３の項目８に関連したスロット３の項目群が表示される。広告表示エリアには、スロット２の項目３に関連した広告が表示される。以下同様の操作で項目と広告が表示されるようになっている。
【００２４】
そして、操作の途中で、前のスロットの項目を選択し直した場合は、再度選択し直した箇所から、広告と項目の表示が行われる。
【００２５】
このようにして、スロットが持つ項目を選択することで、次のスロットが表示され、その中の項目を選ぶことができるようになる。次のスロットが表示されるまでの間、空いているスペースに大きさを自動調整し広告を表示する。広告は、選択項目に応じた広告をレコメンドし掲載することができる。ユーザーらの項目の選択数、選択傾向を取得し、レコメンド用のログを保存し、広告掲載料金を算出に利用する。
【００２６】
以上のように、第１カテゴリを選択すると、選択したカテゴリを管理する管理者（第１カテゴリは「企業=スポンサー」が管理者となる）の広告が表示される。この時、第２カテゴリ〜第４カテゴリ上に広告が表示される形となる、という新しい広告表示機能である。そして、広告を閉じると次のカテゴリを選択することができる。つまり、（Ａ）第１カテゴリを選択する。（Ｂ）選択したカテゴリの広告が表示される。広告はフリックで複数枚表示でき、動画や静止画のスライドショーに対応できるように構成されている。なお、最大化ボタンにより、第１カテゴリの列まで広告を拡大可能である。
【００２７】
このように、第１カテゴリに属する第２カテゴリを選択すると、選択したカテゴリが広告を出していれば、第３カテゴリ〜第４カテゴリ上に広告が表示されるという新しい広告表示機能である。そして、広告を閉じると、次のカテゴリを選択できるようになる。
【００２８】
なお、図２０で示すように、カテゴリマップを表示した画面表示を初期画面（待ち受け画面）とすることができる。この図２０の例によれば、複数個の選択項目が連なったスロットを複数個表示するもので、スロットはそれぞれ独立してスクロール（縦横問わない）することが可能となっている。
【００２９】
図４で示すように、情報端末（スマートフォンなどの小型液晶端末のアプリケーション：クライアントと、インターネット或いはイントラネットを介して、サーバー（データベースを含む）と接続できるように構成されている。
【００３０】
そして、スロット内の項目が選択された場合、項目のＩＤをユーザー情報と供にサーバーへ送信する。
次に、サーバーは、ユーザー情報と紐付けて、項目が選択されたことをログとしてデータベースに保存する。この時にこの項目の選択回数を保存する。これは、項目選択時に表示する広告掲載料の算出条件として利用するためである。
さらに、サーバーは、受け取った項目のＩＤからデータベースを参照し、次のスロットに表示する項目群のデータをクライアントへ返す。
そして、これと同時に選択した項目に関連した広告があれば広告データをクライアントへ返す。なお広告データがない場合もある。
【００３１】
つぎに、より詳しく、ユーザインタフェースを説明すると、本ユーザインタフェースは、今迄知られていない、ブログ、特定のＥＣサイトなどを逆引きすることができる、カテゴリ別を主としたユーザインタフェースであり、それを実現するためのエンジンである。
本ユーザインタフェースによれば、カテゴリ管理者、利用者は、カテゴリにチャット、伝言、音声会議ができる場を作ることができる。
カテゴリの各管理者が、ＡＰＩプラグインを使い、オークションや、物を売買できるような環境を作る（カテゴリで人を集める）ことが可能となる。
【００３２】
次に、選択履歴管理機能搭載のツリー型項目選択ユーザインタフェースについて、説明する。この機能は、スマートフォン、タブレット、その他小型液晶の端末において、狭い画面内をスムーズに項目選択操作ができ、かつ、画面スペースを有効に活用できる選択履歴管理機能搭載のツリー型項目選択ユーザインタフェースである。
本ツリー型の項目選択では、サービス内容、機能などをツリーで階層表示し、関連項目や、枝分かれしたサブサービス、サブ機能を直感的に理解することができ、また、使用しないサービス、機能はツリーを閉じることにより、表示内容を制限し、狭い画面を有効に利用することができる。
【００３３】
つまり、履歴管理が行えるもので、ツリーで履歴を管理し、任意の場所までさかのぼれ、かつ、ボタン操作により「1つ前に戻る」「1つ前に戻る」・・・と履歴を1つずつさかのぼることが出来る。また  閲覧のしやすさであり、上下左右方向に自由にスクロールして、ツリー全体へのアクセスをより簡単にできるものである。
【００３４】
本ツリー型項目選択ユーザインタフェースの新しい点は、サービス内容、機能などツリー構造であらわし、同時にそれらサービス内容、機能などの項目を選択していった履歴(足あと)をサーバーに保持(選択履歴データとしてデータベースに逐次保存する。履歴データも同時にツリーでの階層表示をすることにより、過去選択したサービス、機能に再びアクセスすることができることである。
【００３５】
本ユーザインタフェースであり、それを実現するためのエンジンは、１、ユーザーがカテゴリを作りそれぞれ管理する機能。２、上記カテゴリからの枝葉のカテゴリは別の管理者が作っていく機能。３、カテゴリ直下の枝葉のカテゴリ管理者は不信任投票をしたり、上位の管理者のコメント等を監視し合うことができる機能。４、カテゴリ別になっているため、広告、ダイレクトメール等ターゲットが絞り易く市場を形成しやすい（新広告エンジン）機能。５、本ネットワークは増殖型なので、ある一定の時間軸（会員の一定の増殖）から二次元（ＧＰＳ等を含めたモールの開設など）のサービスの増大機能。６、個人がそのカテゴリにおいてストリーミング放送や伝言コメントなどを行っていく機能。７、企業等は、直接カテゴリに店を作ることができる機能。８、ユーザは、有料プラグインを使って、自身のオークションショップ、ＥＣサイトなどを作ることができる機能などを有している。
【００３６】
システム構成としてはウェブサーバー、カテゴリサーバー音声サーバー、検索サーバー、ＥＣサーバーである。ウェブサーバーは、例えばＡＰサーバー、ＪＡＶＡ（登録商標）サーバーなどで構成される。カテゴリサーバーは、例えばカテゴリＤＢが組み込まれている。音声サーバーは、例えばマルチメディアＤＢが組み込まれている。ＥＣサーバーは、例えば薬であれば薬店モールＤＢ、本屋であればブックストアなどＥＣプラグインが組み込まれている。
【００３７】
図１２で示すように、履歴や、ブログ、チャットといったクライアントアプリが提供するサービス、機能がツリーで表示される。スロットをスクロールできるが、このとき、ツリー表示が行われる。
そして、ツリーを展開して目的のサービスへアクセスすることができる。また、選択した項目は選択履歴として蓄積される。例えば、今日の履歴、昨日の履歴、一週間以内の履歴、YYYY年MM月DD日の履歴としてアクセスの足取りを履歴として階層表示することが可能なように構成されている。このツリー表示は、上下左右自由にスクロールして閲覧ことができるように構成されている。
【００３８】
本ツリー型項目選択ユーザインタフェース及びそのエンジンは、図４と同様に、スマートフォン(小型液晶端末)のアプリケーション(クライアント)とインターネット或いはイントラネットを介して、サーバー（データベースを含む）と接続されて構成される。つまり、（Ａ）ツリーを構成する項目情報(サービス、機能情報、及び、履歴情報)を取得。（Ｂ）ツリーで選択した項目のID(サービス、機能、及び、履歴など)を、ユーザー情報と供にサーバーへ送信。（Ｃ）サーバーはユーザー情報と紐付けて、項目が選択されたことをログとしてデータベースに保存(履歴データとして保存していく)。（Ｄ）サーバーは、選択した項目に対応するサービス、機能データをクライアントに送信する。
【００３９】
各サービス、機能などの項目において、関連するサブサービス、サブ機能などの項目を階層構造で表示する。各サービス、機能などの項目の階層情報は、データベースにデータとして保持し、ｗｅｂサーバーに都度アクセスして、取得する。
また、選択したこれらの項目は、選択履歴データとして、選択日付とともに何を選択したかをデータベースに保存する。
保存した選択履歴データは、サーバーから取得することができ、履歴としてツリー内に表示する。この履歴から過去にアクセスした各サービス、各機能に再びアクセスする。このようにして、履歴が残るツリー構造を表示できるたけでなく、ツリー構造からアクセスすることが可能となる。
【００４０】
本実施形態では、カテゴリからの逆引きで目的にたどり着くことが可能になる。
例えば車を例にすると、第１項目である大カテゴリでは、有名な車の製造や販売を行う大企業による内容の表示ができるように構成する。
第１項目に続く、中、小、極小カテゴリは、カテゴリの管理者とり、商品の販売、オークション、一般会員への広告宣伝等を行う。
【００４１】
上記のように第１項目（大カテゴリ）として、車を例にすると、図１３で示すように、中カテゴリとして、メーカー・車種、カーナビ・・・タイヤが表示され、タイヤの下にメーカー、中古タイヤ・・・レースタイヤなどがツリー表示される。
ここで、本実施形態では、逆引きが可能となるように構成されている。つまり、利用者は具体的に商品を知らなくても、興味があるカテゴリ（ジャンル）にアクセスすることで、新しい商品を知ったり、購入ができる。また、チャット、レビューなどで他者とコミュニケーションを取ることが可能となる。
【００４２】
そして、小カテゴリでは、レースタイヤが表示され、このレースタイヤを選択すると、1度興味を持ったが購入していない見込み顧客に、再度メールを配信することにより、見込み客のアプローチするプッシュ式広告配信を行う。また、大企業、管理者は、カテゴリ内にきた一般会員に対して、バナー広告掲載などを行うことが可能である。
【００４３】
ここで、大企業、管理者はカテゴリ内で商品販売を行うことができる。この商品販売手数料からの収益を得ることが可能となる。
なお、本実施形態では、管理者の管理怠慢が続くと、利用者からの不信任決議を受け、新しい管理者に入れ替わり、こうした恩恵が受けられなくなるように構成している。
これにより、ユーザーは、レースタイヤあのうちドリフトタイヤを見つけることができるということになる。
【００４４】
以上を要約すると、例えば、図１４に示すように、車→タイヤ→レースタイヤ→レインタイヤという流れの中で、大カテゴリは、運営側で予め用意しておく。大カテゴリには、大企業・メーカーなどが参入する。中カテゴリは、基本的なカテゴリを運営側で予め用意しておく、ただし、利用者の「申請」によりカテゴリを増やしていくことが可能。（申請を行った利用者はそのカテゴリの管理者となる。）小カテゴリは、基本的なカテゴリを運営側で予め用意しておく。ただし、利用者の「申請」によりカテゴリを増やしていくことが可能。（申請を行った利用者はそのカテゴリの管理者となる。）極小カテゴリは、利用者の「申請」によりカテゴリを増やしていくことが可能（申請を行った利用者はそのカテゴリの管理者となる。）。
【００４５】
また、実店舗を持っている、レアもの商品などは色分けを行う。
そして、カテゴリ１つ１つに管理者がおり、カテゴリを管理する。カテゴリには専用の「ページ」を与えられる。さらに、カテゴリ管理者の役割を果たせていない、発信する情報が不足などの理由で利用者が不信任投票を行うことができる。
例えば、一週間の閉鎖ペナルティや、３回に不信任一定数越えで不信任退場などのルールを設け、運営を円滑に行うように構成する。
【００４６】
利用者はカテゴリ内にチャット、伝言、音声チャットができる場を作ることがきるように構成されている。
例えば、図１５で示すように、レインタイヤについて、カテゴリ管理者にアクセスし、カテゴリページを表示させてい、個人での商品販売、オークションを行う。このとき、例えばコミュニケーション広場にアクセス（各サービスにアクセス）する。
コミュニケーション広場では、チャット、伝言版、音声会議などを利用して、利用者間で盛り上がるように構成することができる。
これにより、共通の趣味嗜好で繋がり、利用者間でソーシャルネットワークを介して繋がりを作ることができ、大企業、管理者が販売する商品の購入、オークションへの参加することが可能となる。
【００４７】
上記の他に、カテゴリアプリが可能なように構成することができる。この、カテゴリアプリとしては、リアルタイムチャット、伝言板（利用者間の質問の場を含む）、ＥＣ・物品の販売（薬、サプリメントは、ファーマモールと連携）、ＮＥＷ  ＢＯＯＫ（声優の音声アフレコ+アニメーション）、音声チャット（音声会議）、オークション、ＧＰＳを活用した利用者間コミュニケーション（合コン会合、コンシステム、物品の直接取引など）、ＧＰＳ活用による居酒屋などの実店舗からの利用者の呼び込み（クーポン配布、リアルタイム呼び込み、タイムセールなど）などが挙げられる。
【００４８】
ユーザは、次のようにして確保することが可能となる。例えば「声優どっと混む、およびカテゴリご近所サーチで同じジャンルの友達を作ろう」などの標示と共に、次のような機能を実行することで行う。
【００４９】
これらのＵＩは、Ｗｉｎｄｏｗｓ８（登録商標）や今後の次世代タッチインターフェース搭載の端末において、有用なＵＩとなる。
【００５０】
基本画面操作は、本実施形態では、画面をスライドさせていき、カテゴリを選択、そのカテゴリのサービスを利用するという流れになる。
このとき、ＵＩ（ユーザインタフェース）としては、スロットの列の表示が１つ残るように構成している。携帯電話などの小さな情報端末では、画面が狭いため、スロットで上下にスクロールできるのは選び易いという利点がある。
【００５１】
図１６で示すように、ＭＹページ画面（ＴＯＰ画面）では、ＭＹページで自分の情報を確認する。この状態で、左フリックすると、次の画面が現れる。このとき、下部ボタンメニューからも操作可能である。第１カテゴリを選択することでも同様の動作となる。
なお、最初からカテゴリマップ画面、カテゴリマップからカテゴリを選択、左フリックすると、画面が現れる。このとき、下部ボタンメニューからも操作可能である。カテゴリ詳細画面（+第４カテゴリ）で、カテゴリ詳細を確認し、左フリックすると、第４カテゴリをしまい、画面を広げることができる。
下部ボタンメニューからも操作可能となる。勿論、カテゴリ詳細画面（最大化）やカテゴリ内サービスを利用することができる。このように、リアルタイムでできる一方向のツールであり、チャットラ（チャット+トランシーバ）で、且つ伝言・音声での利用も可能となる。
【００５２】
次に、図１６はカテゴリ．ｃｏｍアプリを起動した際に表示される画面であり、図１６で示す画面（MYページのトップ画面）から行える操作・取得情報について説明すると、ＭＹページでは、新着情報を取得することが可能に構成されている。これは下部ボタンエリアから機能を選択することが可能になっている。
この画面では、住所確認などが取れ、身分をサービスに登録しているユーザは、「ゴールド」「プラチナ」といった会員種別が付加される。プラチナは第２カテゴリにカテゴリを持ち、各種サービスを運営可能になっている。ゴールドは第３カテゴリにカテゴリを持ち、ＥＣサイトやオークションサービスを運営することが可能となっている。一般に、ユーザー登録、利用は、基本的に無料で行えるように構成されている。
【００５３】
月ＰＶや週ＰＶ、日ＰＶなど、訪問者数などのステータスが表示される。本実施形態では、一定期間（年間ベース）のＰＶが１００人を切ると不信任案を出されるように構成している。なお、各種サービスＡＰＩを装備することが可能である。
なお、無料の「ブログ」「チャット」や有料の「オークション」「ＥＣサイト」などを運営することが可能なように構成されている。
【００５４】
ＭＹカテゴリボタンをタップすることで、自分の管理するカテゴリのページが表示することが可能となる。例えば、図１７の例示のように、自分の管理するカテゴリのページを表示できる。使用方法は、まず始めにおおもとである第１カテゴリから興味のあるカテゴリをタップし選択する。そして、カテゴリをタップすると、ＭＹページが左にスライドし、カテゴリマップが展開される。
【００５５】
第１カテゴリを選択すると、選択したカテゴリを管理する管理者（第１カテゴリは「企業=スポンサー」が管理者となる）の広告が表示される。この時、第２カテゴリ〜第４カテゴリ上に広告が表示される形となる。広告を閉じると次のカテゴリを選択することができる。つまり、（Ａ）第１カテゴリを選択する。（Ｂ）選択したカテゴリの広告が表示される。広告はフリックで複数枚表示できる。（動画や静止画のスライドショーに対応）。最大化ボタンにより、第１カテゴリの列まで広告を拡大できる。１つに対して１つの広告枠（バナー式ではない）である。
【００５６】
第１カテゴリに属する第２カテゴリを選択すると、選択したカテゴリが広告を出していれば、第３カテゴリ〜第４カテゴリ上に広告が表示される。つまり、（Ａ）選択すると、（Ｂ）広告が表示される。広告はフリックで複数枚表示できる。（動画や静止画のスライドショーに対応）。最大化ボタンにより、第２カテゴリの列まで広告を拡大できる。（Ｃ）広告を閉じると、第３カテゴリを選択できるようになる。
【００５７】
第３カテゴリを選択すると、選択したカテゴリが広告を出していれば、第４カテゴリ上に広告が表示される。流れは前述と同様である。つまり、（Ａ）選択すると、（Ｂ）広告が表示される。広告はフリックで複数枚表示できる。（動画や静止画のスライドショーに対応）。最大化ボタンにより、第２カテゴリの列まで広告を拡大できる。（Ｃ）広告を閉じると、第４カテゴリが選択できるようになる。
【００５８】
第４カテゴリを選択すると、選択したカテゴリが広告を出していれば、今度は第２カテゴリ上に広告が表示される。つまり、（Ａ）選択すると、（Ｂ）広告が表示される。広告はフリックで複数枚表示できる。（動画や静止画のスライドショーに対応）。（Ｃ）広告を閉じる第４カテゴリまでのマップ経路が確認出来る。このように、新しい広告表示機能を提供することが可能となる。
【００５９】
図１８は、選択中カテゴリの詳細を表示する画面である。この画面では、選択中のカテゴリ名称、カテゴリのイメージ図、会員種別、訪問者数などのステータス、お知らせ等が表示される。各種サービスＡＰＩ（例えばＥＣサイト）を装備することが可能である。
会員種別は、住所確認などが取れ、身分をサービスに登録しているユーザーは、「ゴールド」「プラチナ」といった種別が付加される。
【００６０】
プラチナは第２カテゴリにカテゴリを持ち、各種サービスを運営できるように構成される。ゴールドは第３カテゴリにカテゴリを持ち、ＥＣサイトやオークションサービスを運営することができる。ユーザ登録、利用は基本的に無料としている。
上記のように、訪問者数などのステータスが表示されるが、一定期間のＰＶが１００人を切ると不信任案を出される。
【００６１】
上記各種サービスＡＰＩとしては、無料の「ブログ」「チャット」や有料の「オークション」「ＥＣサイト」「音声通話」などを運営することが可能となる。
お知らせには、サーバーのメンテナンスなどの情報の他に、選択したカテゴリに関する通知が行われる。
【００６２】
図１９は、ツリーの表示にて、サービスツリーを展開して目的のサービスへアクセスすることができるようにした説明図である。この構造は、前述した図１２乃至図１５で説明したのと同様の構成である。
【符号の説明】
【００６３】
１０  スロット
【図１】
2014157528.tif 000003
【図２】
2014157528.tif 000004
【図３】
2014157528.tif 000005
【図４】
2014157528.tif 000006
【図５】
2014157528.tif 000007
【図６】
2014157528.tif 000008
【図７】
2014157528.tif 000009
【図８】
2014157528.tif 000010
【図９】
2014157528.tif 000011
【図１０】
2014157528.tif 000012
【図１１】
2014157528.tif 000013
【図１２】
2014157528.tif 000014
【図１３】
2014157528.tif 000015
【図１４】
2014157528.tif 000016
【図１５】
2014157528.tif 000017
【図１６】
2014157528.tif 000018
【図１７】
2014157528.tif 000019
【図１８】
2014157528.tif 000020
【図１９】
2014157528.tif 000021
【図２０】
2014157528.tif 000022